(57)【要約】      （修正有）【課題】多くの動作を行わないとつなぎ合わせ又は抜き放しを行えない知恵の輪を提供する。【解決手段】第１部材２が、細長の接続部材５と、この接続部材５にその長手方向に間隔をあけて接続部材５に対して移動可能に設けられた３本以上の連結棒６と、これら連結棒６の一端部にそれぞれ個別に回動可能に取り付けられ、この取り付けられた連結棒６より接続部材５の一端部側に隣接する連結棒６が内部に通されているリング７とからなり、第２部材３が、リング７の直径より幅が小さく、かつ、リング７が内部を通り抜ける平行部３１を有する細長の無端状に形成されている。【選択図】図１
0003117997.tif 000002
【実用新案登録請求の範囲】
【請求項１】
第１部材と第２部材とをつなぎ合せたり、抜き放したりする知恵の輪であって、
前記第１部材が、細長の接続部材と、この接続部材にその長手方向に間隔をあけて前記接続部材に対して移動可能に設けられた３本以上の連結棒と、これら連結棒の一端部にそれぞれ個別に回動可能に取り付けられ、この取り付けられた連結棒より前記接続部材の一端部側に隣接する連結棒が内部に通されているリングとからなり、
前記第２部材が、前記リングの直径より幅が小さく、かつ、前記リングが内部を通り抜ける平行部を有する細長の無端状に形成され、
この第２部材が、前記全てのリング内に通され、かつ、前記連結棒の一端部が前記第２部材より前記接続部材とは反対側に位置されていると共に、前記リングの内部に前記連結棒が通されている位置が前記第２部材より前記接続部材側に位置されて前記第１部材と前記第２部材とがつなぎ合わされるように構成したことを特徴とする、知恵の輪。
【請求項２】
前記連結棒及びリングの数が５であることを特徴とする、請求項１に記載の知恵の輪。
【請求項３】
前記リングが、オリンピックの５輪の色に形成され、前記第２部材の他端部側にオリンピックの開催地が刻印されたメダルが設けられていることを特徴とする、請求項２に記載の知恵の輪。
【考案の詳細な説明】
【技術分野】
【０００１】
本考案は、第１部材と第２部材とをつなぎ合せたり、抜き放したりする知恵の輪に関するものである。
【背景技術】
【０００２】
知恵の輪は、２つの部材をつなぎ合せたり、抜き放したりするものである。この知恵の輪は、子供から大人までが楽しめるもので、近年、玩具として使用されるだけではなく、指先の運動用器具等として使用されることもある。ところで、知恵の輪としては、種々の形状の部材があるが、少ない動作で２つの部材が抜き放されたりすると、すぐに飽きてしまったり指先の運動用器具として機能しなかったりする。
【考案の開示】
【考案が解決しようとする課題】
【０００３】
本考案は、前記課題を解決するためになされたものであって、その目的は、多くの動作を行わないとつなぎ合わせ又は抜き放しを行えない知恵の輪を提供することにある。
【課題を解決するための手段】
【０００４】
前記の目的を達成するための本考案に係る知恵の輪は、第１部材と第２部材とをつなぎ合せたり、抜き放したりする知恵の輪であって、前記第１部材が、細長の接続部材と、この接続部材にその長手方向に間隔をあけて前記接続部材に対して移動可能に設けられた３本以上の連結棒と、これら連結棒の一端部にそれぞれ個別に回動可能に取り付けられ、この取り付けられた連結棒より前記接続部材の一端部側に隣接する連結棒が内部に通されているリングとからなり、前記第２部材が、前記リングの直径より幅が小さく、かつ、前記リングが内部を通り抜ける平行部を有する細長の無端状に形成され、この第２部材が、前記全てのリング内に通され、かつ、前記連結棒の一端部が前記第２部材より前記接続部材とは反対側に位置されていると共に、前記リングの内部に前記連結棒が通されている位置が前記第２部材より前記接続部材側に位置されて前記第１部材と前記第２部材とがつなぎ合わされるように構成したことを特徴とする。
【０００５】
この考案によれば、平行部を有する細長の無端状の第２部材が第１部材の全てのリング内に通され、かつ、連結棒の一端部が第２部材より接続部材とは反対側に位置されていると共に、リングの内部に連結棒が通されている位置が第２部材より接続部材側に位置されて第１部材と前記第２部材とがつなぎ合わされることにより、第１部材と第２部材とが複雑につなぎ合わされているので、多くの動作を行わないと、抜き放しを行えない。従って、多くの動作を行わないと、第１部材と第２部材とのつなぎ合わせ又は抜き放しを行えないことになる。
【０００６】
本考案に係る知恵の輪において、前記連結棒及びリングの数が５であることが好ましい。また、本考案に係る知恵の輪において、前記リングが、オリンピックの５輪の色に形成され、前記第２部材の他端部側にオリンピックの開催地が刻印されたメダルが設けられていることが好ましい。
【考案の効果】
【０００７】
以上説明したように本考案に係る知恵の輪によれば、平行部を有する細長の無端状の第２部材が第１部材の全てのリング内に通され、かつ、連結棒の一端部が第２部材より接続部材とは反対側に位置されていると共に、リングの内部に連結棒が通されている位置が第２部材より接続部材側に位置されて第１部材と前記第２部材とがつなぎ合わされるために、第１部材と第２部材とが複雑につなぎ合わされているので、多くの動作を行わないと、第１部材と第２部材とのつなぎ合わせ又は抜き放しを行えない。
【考案を実施するための最良の形態】
【０００８】
以下、本考案に係る知恵の輪を添付図面に基づいて詳述する。
【０００９】
図１及び図２は本考案に係る知恵の輪の一例を示す図である。図３〜図１６は本考案に係る知恵の輪の遊戯方法の手順の一例を示す図である。本考案に係る知恵の輪は、図１〜図１６に示すように、第１部材２と第２部材３とをつなぎ合せたり、抜き放したりするものであって、第１部材２が接続部材５と３本以上の連結棒６とリング７とからなり、第２部材３が、リング７の直径より幅が小さく、かつ、リング７が内部を通り抜ける平行部３１を有する細長の無端状に形成され、この第２部材３が全てのリング７内に通され、かつ、連結棒６の一端部が第２部材３より接続部材５とは反対側に位置されていると共に、リング７の内部に前記連結棒６が通されている位置が前記第２部材３より接続部材５側に位置されて第１部材２と第２部材３とがつなぎ合わされるように構成したことに特徴がある。
【００１０】
第１部材２は、接続部材５と３本以上の連結棒６とリング７とからなる。連結棒６及びリング７の数は、３以上であれば特に限定されないが、５であることが好ましい。
【００１１】
接続部材５は、細長のものであれば特に限定されず、例えば、細長平板状に形成されている。この接続部材５には、その長手方向に略等間隔をあけて５つの貫通孔５１が設けられている。
【００１２】
連結棒６は、例えば、断面円形の棒状に形成されている。この連結棒６は、接続部材５の貫通孔５１に通される径で形成されている。連結棒６は、接続部材５の各貫通孔５１にそれぞれ通されている。連結棒６の一端部である先端部には、リング７を回動可能に支持する支持部６１が設けられている。支持部６１は、リング７を回動可能で、かつ、その周方向にリング７を移動可能に支持できれば特に限定されず、例えば、連結棒６の先端部をリング状に曲げて形成されている。連結棒６の他端部には、連結棒６が接続部材５の貫通孔５１から抜け出ることを防止する抜止部６２が設けられている。抜止部６２は、連結棒６の貫通孔５１からの抜け出を防止できればどのように形成してもよい。これにより、５本の連結棒６は、接続部材５の各貫通孔５１にそれぞれ移動可能に挿通されている。
【００１３】
リング７は、リング状に形成されているものであれば特に限定されない。このリング７の内径は、接続部材５の貫通孔５１間の間隔より大きな例えば若干大きな寸法で形成されていることが好ましい。リング７は、５本の連結棒６の支持部６１にそれぞれ回動可能に取り付けられている。また、連結棒６に取り付けられたリング７は、接続部材５の一端部例えば先端部側に隣接する連結棒６が内部に通されている。すなわち、リング７は、連結棒６に回転可能に取り付けられていると共に、前方側の連結棒６が内部に通されている。接続部材５の先端部に一番近い連結棒６に取り付けられているリング７は、その連結棒６に回転可能に取り付けられているのみで、連結棒６が内部に通されていない。これら５つのリング７は、オリンピックの５輪の色に形成されていることが好ましい。例えば、５つのリング７を接続部材５の先端部から順に第１リング７１（連結棒６が内部に通されていないリング）、第２リング７２、第３リング７３、第４リング７４及び第５リング７５とした場合、第１リング７１が赤、第２リング７２が青、第３リング７３が黄、第４リング７４が黒、第５リング７５が緑にそれぞれ形成されていることが好ましい。なお、接続部材５、連結棒６及びリング７の大きさは、特に限定されるものではない。
【００１４】
第２部材３は、平行部３１を有する細長の無端状に形成されていれば、特に限定されず、平行部３１を有する細長の略Ｕ字状の操作部３０と、この操作部３０の基端部である後端部に設けられた把持部３２とからなることが好ましい。
【００１５】
操作部３０の平行部３１の幅（内幅）は、リング７の直径より小さい寸法であって、連結棒６に取り付けられたリング７が内部を通り抜ける寸法で形成されている。この平行部３１の長手方向の長さは、特に限定されず、接続部材５の長手方向の長さ以上の寸法で形成されていることが好ましく、特に接続部材５の長手方向の長さと略同じ寸法で形成されていることが好ましい。把持部３２は、どのように形成してもよく、例えば、メダル等を用いてもよい。このメダルとしては、例えば、オリンピックの開催地が刻印されたものであることが好ましい。
【００１６】
この第２部材３が全てのリング７内に通され、かつ、連結棒６の支持部６１が第２部材３より接続部材５とは反対側に位置されていると共に、リング７の内部に連結棒６が通されている位置が第２部材３より接続部材５側に位置されることにより、図１に示すように、第１部材２と第２部材３とがつなぎ合わされて本考案に係る知恵の輪１が構成されている。
【００１７】
次に本考案に係る知恵の輪１の遊戯方法を説明する。
【００１８】
本考案に係る知恵の輪１は、図１に示すように、第１部材２と第２部材３とがつなぎ合わされている。なお、便宜上、第２部材３を基準として第２部材３の接続部材５側を下方と第２部材３の接続部材５とは反対側を上方として以下説明するが、これに限定されるものではない。
【００１９】
１．第１部材２と第２部材３とが図１に示すようにつなぎ合わされた状態から、まず、第１リング７１を第２部材３から抜き取ってから第２部材３内を通して図３に示すように第２部材３の下方（単に下方ということがある。）に位置させる。
【００２０】
２．第２リング７２と第３リング７３を順次第２部材３から抜き取って第１リング７１〜第３リング７３を上方に位置させてから第２リング７２を図４に示すように第２部材３に通して第１リング７１を下方に位置させる。なお、ここでいう第２リング７２を第２部材３に通すことは、実際には、第２部材３を第２リング７２内に通すことであるが、便宜上第２リング７２を第２部材３に通すという。以下同じような場合には同様にする。
【００２１】
３．下方の第１リング７１を第２部材３内を通して上方に位置させてから第２リング７２を第２部材３から抜き取り、図５に示すように上方の第１リング７１〜第３リング７３を第２部材３内を通して下方に位置させる。
【００２２】
４．第４リング７４を第２部材３から抜き取り、第１リング７１〜第４リング７４を図６に示すように上方に位置させる。
【００２３】
５．第５リング７５を第２部材３から抜き取ってから第２部材３内を図７に示すように上方から下方へ通す。
【００２４】
６．第４リング７４を第２部材３に通して第１リング７１〜第３リング７３を下方に位置させてから第１リング７１〜第３リング７３を第２部材３内を通して図８に示すように上方に位置させる。
【００２５】
７．第２リング７２を第２部材３に通してから第１リング７１を第２部材３内を通して図９に示すように下方に位置させる。
【００２６】
８．第２リング７２を第２部材３から抜き取って第１リング７１及び第２リング７２を上方に位置させてから第３リング７３及び第２リング７２を第２部材３に順次通して図１０に示すように第１リング７１を下方に位置させる。
【００２７】
９．第１リング７１を第２部材３内を通して上方に位置させてから第２リング７２を図１１に示すように第１リング７１と共に上方に位置させる。
【００２８】
１０．第１リング７１及び第２リング７２を第２部材３内を通して下方に位置させてから第３リング７３を第２部材３から抜き取り図１２に示すように第１リング７１〜第３リング７３を上方に位置させる。
【００２９】
１１．第４リング７４を第２部材３から抜き取り図１３に示すように第２部材３内を上方から下方に通す。
【００３０】
１２．第３リング７３を第２部材３に通して第１リング７１及び第２リング７２を第２部材３内を下方から上方に通してから第２リング７２を第２部材３に通して第１リング７１を図１４に示すように上方に位置させる。
【００３１】
１３．第１リング７１を第２部材３内を通して下方に位置させてから第２リング７２及び第３リング７３を第２部材３から順次抜き取り第１リング７１〜第３リング７３を図１５に示すように上方に位置させる。
【００３２】
１４．第３リング７３を第２部材３内を通して下方に位置させてから第２リング７２を第２部材３に通して第１リング７１を図１６に示すように下方に位置させる。
【００３３】
１５．第１リング７１を第２部材３内を通して上方に位置させてから第２リング７２を第２部材３から抜き取り第１リング７１及び第２リング７２を第２部材３内を上方から下方に通すことにより、図２に示すように、第１部材２と第２部材３とが抜き放される。
【００３４】
抜き放された第１部材２と第２部材３とをつなぎ合わすには、前述の１〜１５の手順を逆に行えば第１部材２と第２部材３とを図１に示すようにつなぎ会わすことができる。
【００３５】
したがって、本考案に係る知恵の輪は、第１部材２と第２部材３とが複雑につなぎ合わされているので、多くの動作を行わないと、第１部材２と第２部材３とのつなぎ合わせ又は抜き放しを行えないことになる。その結果、すぐに飽きることがなく、大人でも長い間十分に楽しめるものである。また、多くの動作を行わないと、第１部材２と第２部材３とのつなぎ合わせ又は抜き放しを行えないことから、指先の運動用器具として十分に使用し得るものである。
【００３６】
また、５つのリングがオリンピックの５輪の色に形成され、把持部にオリンピックの開催地が刻印されたメダルが設けられていることにより、装飾品やお土産品とすることもできる。
【産業上の利用可能性】
【００３７】
以上説明したように本考案に係る知恵の輪は、平行部を有する細長の無端状の第２部材が第１部材の全てのリング内に通され、かつ、連結棒の一端部が第２部材より接続部材とは反対側に位置されていると共に、リングの内部に連結棒が通されている位置が第２部材より接続部材側に位置されて第１部材と前記第２部材とがつなぎ合わされるために、第１部材と第２部材とが複雑につなぎ合わされているので、多くの動作を行わないと、第１部材と第２部材とのつなぎ合わせ又は抜き放しを行えないことから、すぐに飽きることがなく、しかも、指先の運動用器具として十分に使用し得るものである。
【図面の簡単な説明】
【００３８】
【図１】本考案に係る知恵の輪をつなぎ合わせた状態を示す斜視図である。
【図２】本考案に係る知恵の輪を抜き放した状態を示す斜視図である。
【図３】本考案に係る知恵の輪の遊戯方法の手順の一例を示す図である。
【図４】本考案に係る知恵の輪の遊戯方法の手順の一例を示す図である。
【図５】本考案に係る知恵の輪の遊戯方法の手順の一例を示す図である。
【図６】本考案に係る知恵の輪の遊戯方法の手順の一例を示す図である。
【図７】本考案に係る知恵の輪の遊戯方法の手順の一例を示す図である。
【図８】本考案に係る知恵の輪の遊戯方法の手順の一例を示す図である。
【図９】本考案に係る知恵の輪の遊戯方法の手順の一例を示す図である。
【図１０】本考案に係る知恵の輪の遊戯方法の手順の一例を示す図である。
【図１１】本考案に係る知恵の輪の遊戯方法の手順の一例を示す図である。
【図１２】本考案に係る知恵の輪の遊戯方法の手順の一例を示す図である。
【図１３】本考案に係る知恵の輪の遊戯方法の手順の一例を示す図である。
【図１４】本考案に係る知恵の輪の遊戯方法の手順の一例を示す図である。
【図１５】本考案に係る知恵の輪の遊戯方法の手順の一例を示す図である。
【図１６】本考案に係る知恵の輪の遊戯方法の手順の一例を示す図である。
【符号の説明】
【００３９】
１  知恵の輪
２  第１部材
３  第２部材
５  接続部材
６  連結棒
７  リング
３０  操作部
３１  平行部
３２  把持部
７１  第１リング
７２  第２リング
７３  第３リング
７４  第４リング
７５  第５リング
【図１】
0003117997.tif 000003
【図２】
0003117997.tif 000004
【図３】
0003117997.tif 000005
【図４】
0003117997.tif 000006
【図５】
0003117997.tif 000007
【図６】
0003117997.tif 000008
【図７】
0003117997.tif 000009
【図８】
0003117997.tif 000010
【図９】
0003117997.tif 000011
【図１０】
0003117997.tif 000012
【図１１】
0003117997.tif 000013
【図１２】
0003117997.tif 000014
【図１３】
0003117997.tif 000015
【図１４】
0003117997.tif 000016
【図１５】
0003117997.tif 000017
【図１６】
0003117997.tif 000018